(57)【要約】  【課題】本発明は、種々の用途に活用できる多目的容器並びに意匠性に優れた外観的構造を有する構造体及びその構造体からなる多目的容器を提供するものにある。  【解決手段】本発明は、種々の収容物を収容できる多目的容器であって、前記多目的容器の胴部分に中空構造をなした収容部と、前記収容部に隣接する位置に前記収容部から放出された収容物を留置できる留置部と、前記収容部と前記留置部の両部を連通する放出孔と、を備えたことを特徴とする多目的容器である。【選択図】  図１
2010047298.tif 000002
【特許請求の範囲】
【請求項１】
種々の収容物を収容できる多目的容器であって、
前記多目的容器の胴部分に中空構造をなした収容部と、
前記収容部に隣接する位置に前記収容部から放出された収容物を留置できる留置部と、
前記収容部と前記留置部の両部を連通する放出孔と、
を備えた
ことを特徴とする多目的容器。
【請求項２】
前記の放出孔は、
収容物放出姿勢時の容器中心軸から鉛直下方寄りの位置に設けられている
ことを特徴とする請求項１に記載の多目的容器。
【請求項３】
前記の放出孔付近の収容部の内壁は、
放出孔に向かって略平坦である
ことを特徴とする請求項１または請求項２に記載の多目的容器。
【請求項４】
前記の放出孔付近の収容部の内壁は、
放出孔に向かって径が小さくなる漏斗様形状をなしている
ことを特徴とする請求項１から請求項３のいずれかに記載の多目的容器。
【請求項５】
２以上の球体または多面体が連なって構成される構造体であって、
少なくとも１の開口部を有する
ことを特徴とする構造体。
【請求項６】
１以上の球体または多面体が、柱状体と連なって構成される構造体であって、
少なくとも１の開口部を有する
ことを特徴とする構造体。
【請求項７】
柱状の構造体の全周に亘って１以上のくびれ部分を有する構造体であって、
少なくとも１の開口部を有する
ことを特徴とする構造体。
【請求項８】
波型または螺旋型の棒状体からなる構造体であって、
少なくとも１の開口部を有する
ことを特徴とする構造体。
【請求項９】
前記構造体または前記多目的容器に、
耳様、手足様、尻尾様のいずれか１以上の突起物が取り付けられた
ことを特徴とする請求項１から請求項８のいずれかに記載の構造体または多目的容器。
【請求項１０】
前記構造体における開口部の開口面に、
液晶ディスプレイが設けられた
ことを特徴とする請求項５から請求項９のいずれかに記載の構造体。
【発明の詳細な説明】
【技術分野】
【０００１】
本発明は、種々の用途に活用できる多目的容器並びに意匠性に優れた外観的構造を有する構造体及びその構造体からなる多目的容器に関する。
【背景技術】
【０００２】
従来から、多目的の用途に利用可能な多目的容器は、種々考えられてきた。
それら多目的容器の中には、単に、多目的な用途に利用可能であるというだけでなく、外観的形状や構造に特徴があり、意匠的に優れたものもある。
例えば、下記特許文献１には、複数相互間で連結可能となっており、単独状態において、収納容器として使用されると共に、連結状態において、集合体として家具、インテリア、ディスプレイ、オブジェ等として使用可能なボトル容器が開示されている。
【０００３】
この発明によれば、内容物の使用後において、ボトル容器を連結状態にして繋ぎ合わせ、各種用途に使用可能になる。
例えば、台、テーブル、腰かけ、つい立て、囲い、大型箱、机の足、仕切壁、室内装飾、飾り用グッズ等々、家具、家具パーツ、インテリア、ディスプレイ、オブジェ等として、再活用、再利用可能である。
その際、各ボトル容器内の収納空間は、再活用・再利用のシーンに応じて、水、絵の具、ゼラチン、砂、土等を収納することにより、手軽に明度・色彩・質感等を変化させて楽しむことができ、光源ライトとの組み合わせにより、幻想的なオブジェ感を創出することもできる。
このように、本来の目的である容器としての利用の後でも廃棄することなく、再活用・再利用することができるのである。
【特許文献１】特開２００６−２４８５９５号公報
【発明の開示】
【発明が解決しようとする課題】
【０００４】
しかしながら、上記発明にかかるボトル容器は、あくまでボトル容器の外観的形状や構造に特徴を有し、この特徴ゆえに複数相互間で連結可能となっており、容器としての使用の他、連結状態において、家具、インテリア、ディスプレイ、オブジェ等として使用が可能になるのであって、内容物を収容する構造としては、何等を有していない。
つまり、本来的な容器としての利用よりも、むしろ、複数相互間で連結可能にした後の、台、テーブル、腰かけ、つい立て、囲い、大型箱、机の足、仕切壁、室内装飾、飾り用グッズ等々、家具、家具パーツ、インテリア、ディスプレイ、オブジェ等として、再活用、再利用可能にすることを優先したものである。
従って、内容物を収容する構造は、単に内容物を収容する空間を有しているに過ぎず、容器としては一般的機能しか有していないため、種々の内容物を収容する万能容器としての機能は果たし得ない。
【０００５】
本発明は、上述の問題点に鑑みてなされたものであり、その目的は、種々の用途に活用できる多目的容器並びに意匠性に優れた外観的構造を有する構造体及びその構造体からなる多目的容器を提供することにある。
【課題を解決するための手段】
【０００６】
上記課題を解決するため、本発明においては、次の技術的手段を講じている。
【０００７】
本発明の請求項１は、
種々の収容物を収容できる多目的容器であって、
前記多目的容器の胴部分に中空構造をなした収容部と、
前記収容部に隣接する位置に前記収容部から放出された収容物を留置できる留置部と、
前記収容部と前記留置部の両部を連通する放出孔と、
を備えた
ことを特徴とする多目的容器である。
【０００８】
本請求項以下に記載の本願発明に係る全ての多目的容器は、以下の特徴を有し、種々の収容物を収容できる多目的容器である。
容器は、胴部分に、中空構造をなした収容部を備える。
収容部は、容器全体が中空構造をなしている場合と、容器の一部分のみが中空構造をなしている場合のいずれをも含む。
容器は、一部が開口状態にある部分を収容口としても良いし、開閉可能な状態にして当該開閉部分を収容口としても良い。
開閉可能な収容口は、蓋体によっても良いし、後述する放出孔の開度を調節する手段と同様の方法によって開閉がなされるようにしても良い。
また、収容口を特に設けずに、容器自体を分割可能な構造にし、分割状態で収容部内に収容物を収容するようにしても良い。
【０００９】
本請求項以下に記載する本願発明に係る全ての多目的容器は、例えば、クリップやステープラーの芯等の文房具類・小物類を収容する小物入れ・整理箱、錠剤・カプセル等の医薬品類・化粧品類・栄養補助食品類・食料品・菓子類・爪楊枝等を収容する容器、郵便物を投函する郵便ポスト・郵便受け、ゴミ箱、貯金箱など、種々の収容物を収容して多目的に利用でき、容器の大きさ、形状、素材、用途は問わない。
容器の利用・活用は、当初の目的でなされる一次的利用・活用の他、その一時的利用・活用がされたあとに、さらに別の用途への二次的利用・活用がなされることも考えられる。
【００１０】
容器は、収容部に隣接する位置に、前記収容部から放出される収容物を留置できる留置部を備える。
留置部は、収容物を留置できる構造であればいずれでもよく、例えば、平坦な形状のトレー型、椀型、開口部分を有する球体などが挙げられる。
収容部と留置部とは、隣接する位置にあり、両部は放出孔によって連通している。
放出孔は、収容部に収容された収容物を留置部へと放出させるためのもので、例えば、収容物が粉末状の調味料である場合、収容部内に収容されている調味料は、放出孔を通じて留置部へ放出される。
この方法によれば、粉末状の調味料は、収容部から１回の動作で容器の外部に放出されるのではなく、一旦留置部へ送り出されてから容器の外部に放出されることになる。
これにより、収容物が何であるか、または放出される調味料の量を、事前に確認することができ、誤って目的外の調味料を放出させることもないし、目的量以上の調味料を放出させることもないというメリットがある。
放出孔は、１つの孔のみからなるものであっても良いし、複数の孔からなるものでも良い。
また、放出孔の孔自体の形状は、円型、多角型、格子型、スリット型等、いずれの形状でも良く、放出孔にスリット、フィルター等の放出量を調整する部材が設けられていても良い。
【００１１】
また、収容物が不意に放出されることを防止する方法として、放出孔の開度を調節することが考えられる。
そこで、放出孔の開度を調節するための調節手段を備えても良い。
開度とは、放出孔の開口状態の度合いを意味する。
開度の調節とは、放出孔の開度を調節することで、放出孔を全開して開度を最大限にしたり、放出孔をほぼ塞いだ状態にして開度を小さくすることである。
調節手段は、放出孔の開度を適宜調節することができれば、いずれの手段も採用できる。
例えば、容器の一部を回転させて、回転する部材が放出孔の孔を塞ぐようにして開度を調節することが考えられる。
調節部材は、直線状でも円形状でも良いし、円形状の場合、空隙部分と閉塞部分とを交互に有するスリット状のものでも良い。
また、空隙部分は、一定の大きさによるものだけでなく、異なる大きさの空隙が複数あり、これらの大きさの異なる空隙によって放出孔の開度を調節できるようにしても良い。
【００１２】
調節手段は、放出孔の開度を小刻みに調節できる係止機構を備えても良い。
係止機構は、例えば、容器側の凹凸部分と調節部材側の凹凸部分とが嵌合することによって小刻みに開度を調節することが考えられる。
また、容器を一定角度に傾斜させることで、放出孔が開口するようにしても良い。
例えば、放出孔の外側に放出孔大の玉を備え、一定角度まで傾けると玉が移動して、放出孔を開口状態にする手段が考えられる。
この角度調節によって放出孔の開度を調節する手段は、収容部の内部構造によって実現させても良い。
例えば、収容部が容器と別体で構成され、容器を一定角度に傾斜させると、収容部の放出孔が、容器の放出孔と重なり、収容部から放出されるような仕組みが考えられる。
具体的には、収容部に穿設された放出孔付近に重量物を取り付け、この収容部を容器に回動可能に枢着することで、容器を傾斜させると重量物の重さで収容部の放出孔が下端に位置するように回動するため、この放出孔が容器の放出孔と重なるようになる。
【００１３】
収容する収容物によって前記の放出孔の大きさ、形状を変えることで、収容物の種類等に限定されず、種々の収容物を収容して、多目的の用途に利用できる多目的容器となる。
また、容器を透明にすることで、収容部に収容した物を容器の外から視認することができ、収容物の残量が分かる。
容器全体が透明であっても良いし、収容部の残量が分かる程度の一部分だけを透明にするのであっても良い。
【００１４】
本発明の請求項２は、
前記の放出孔は、
収容物放出姿勢時の容器中心軸から鉛直下方寄りの位置に設けられている
ことを特徴とする請求項１に記載の多目的容器である。
【００１５】
本請求項にかかる発明は、収容物を放出する状態にある容器の収容物放出姿勢時において、容器の中心軸よりも、鉛直下方寄りの位置に放出孔を設けたことを特徴とする。
収容部と留置部とが、放出孔によって連通されていることで、収容部に収容されている収容物は、放出孔を通じて留置部へと放出される。
しかし、放出孔が設けられる位置が高いと、放出孔が設けられている内壁が障害となって収容物を塞き止め、収容部からスムーズに収容物が留置部へと放出されず、収容部内に残ってしまうことがある。
無理に収容物を放出させようとしても、放出孔が設けられている内壁を乗り越えなければならず、この内壁の放出孔までの高さが高ければ高いほど、収容物は放出孔付近に堆積してしまう。
このような、収容物が放出孔が設けられている内壁を乗り越えられずに、放出孔の手前に溜まってしまう状態は、特に収容物が液状、粉状、顆粒状などの場合に多くなり易いが、本請求項にかかる発明は、このような収容物が収容部内に残ってしまうことがないよう、スムーズに収容物が留置部へと放出されるようにしたものである。
具体的には、この課題を解決するためには、放出孔が設けられる高さを低くすれば良い。
そこで、本請求項にかかる発明は、放出孔の位置を低くしたものである。
【００１６】
収容物を放出させるには、収容物を留置する留置部の留置面が鉛直上方を向くように、容器を持つ。
留置部が、一部が開口して凹部を有する略球体である場合には、開口した部分を鉛直上方を向けた状態にして容器を持つ。
そして、収容物が放出孔を通じて留置部へ放出されるように、容器を、容器の中心軸方向に前後に振る。
このとき、収容物を放出する収容物放出姿勢時の収容部の底部分から放出孔の位置までが高いと、収容部の底部分に収容物が溜まってしまい、なかなか留置部へと放出させることができない。
そこで、放出孔を、容器の中心軸から鉛直下方寄りの低い位置に設けることで、収容部の底部に溜まりやすい収容物を容易に放出されるようにしたものである。
なお、本発明における収容部の底部分とは、容器を直立した状態における底部分ではなく、容器が収容物を放出する姿勢になった時の収容部の最も下方にある部分をいい、特に、放出孔が設けられている内壁付近の部分をいう。
放出孔の設置位置は、収容物を放出する状態にある容器の収容物放出姿勢時において、容器の中心軸よりも、鉛直下方寄りの位置であれば、いずれの位置であっても良い。
また、収容物が容易に放出されやすくするために、放出孔同様に、留置部についても、収容物放出姿勢時の容器中心軸より鉛直下方寄りの位置に設けられることが望ましい。
この場合、放出孔は、留置部の留置面と同一軸上、または、収容物放出姿勢時における収容部の底面と留置面との間に凹凸が生じない位置に設けられることが望ましい。
【００１７】
本発明の請求項３は、
前記の放出孔付近の収容部の内壁は、
放出孔に向かって略平坦である
ことを特徴とする請求項１または請求項２に記載の多目的容器である。
【００１８】
本請求項にかかる発明は、収容部内の収容物を前記の放出孔から放出させる際に、放出孔付近で収容物が溜まって放出されにくくなることを防ぐことを目的としてなされたものであり、放出孔付近の収容部の内壁が、放出孔に向かって略平坦であることを特徴とするものである。
略平坦とは、放出孔付近の収容部の内壁が、凹凸が無い状態であることを意味する。
略平坦な内壁というのは、内壁が板状であるような、ある程度の幅で平坦であることを必要とするものではなく、放出孔付近の内壁のある一点を基準とした場合、その点から放出孔に向かう直線上で略平坦であれば良い。
しかし、放出孔付近の収容部の内壁の全ての範囲において、放出孔に向かって略平坦である必要は無い。
つまり、放出孔付近の収容部の内壁のうち、収容物放出姿勢時における収容部の底部が、放出孔に向かって略平坦であれば足りる。
収容物を放出させる際に、収容物が堆積、貯留するのは、収容物放出姿勢状態における収容部の底部のみだからである。
すなわち、収容物放出姿勢時の収容部の底部において、放出孔に向かう直線上で略平坦であることが必要であり、必ずしも、放出孔付近の収容部の内壁の全ての範囲において、放出孔に向かう直線上で略平坦である必要は無い。
但し、収容物を放出する姿勢が常に一定でない場合もあるので、放出孔付近の収容部の内壁の全ての範囲において、放出孔に向かう直線上で略平坦であっても良い。
これにより、収容物を放出させる際、収容部の底部で収容物が堆積、貯留することなく、容易に放出孔から放出される。
【００１９】
本発明の請求項４は、
前記の放出孔付近の収容部の内壁は、
放出孔に向かって径が小さくなる漏斗様形状をなしている
ことを特徴とする請求項１から請求項３のいずれかに記載の多目的容器である。
【００２０】
本請求項にかかる発明は、収容部内の収容物を前記の放出孔から放出させる際に、放出孔付近で収容物が溜まって放出されにくくなることを防ぐことを目的としてなされたものであり、放出孔付近の収容部の内壁が漏斗様形状をなしていることを特徴とするものである。
漏斗様形状とは、収容物が放出孔付近で滞留することなく放出孔に導くことができる漏斗様の形状をなしたものであれば良く、完全な円錐状の形状に限らず、収容部から放出孔に向かうに従って収容部の径が徐々に小さくなり、窄められた形状を含むものである。
放出孔付近で、徐々に径が小さくなり、凹凸の無い漏斗様形状をなしていることで、収容物が放出孔付近で滞留することなく容易に放出孔から放出される。
本請求項にかかる発明は、特に、粉末状や顆粒状の収容物の場合に効果がある。
【００２１】
本発明の請求項５は、
２以上の球体または多面体が連なって構成される構造体であって、
少なくとも１の開口部を有する
ことを特徴とする構造体である。
【００２２】
本請求項にかかる発明は、２以上の球体または多面体が連なって構成される構造体である。
２以上の球体または多面体とは、球体、多面体の形状のうち、いずれか一のみによって構成されても良いし、球体、多面体とが組み合わされたものであっても良い。
多面体も、同数の面を有する１の多面体、例えば六角体のみから構成されても良いし、面の数が異なる複数の多面体、例えば、六面体、十二面体、二十面体など、これらの組み合わせから構成されていても良い。
２以上の球体または多面体は、全て同一の大きさであっても良いし、異なる大きさでも良い。
２以上の球体または多面体は、それらが連なって１つの構造体として構成されるものであるが、それぞれの球体または多面体が着脱できないような一体的に形成された構造体であっても良いし、それぞれの球体または多面体が着脱可能な独立した部品として、それらが連なって構成されるようにしても良い。
【００２３】
着脱可能な独立した部品とした場合、各球体または各多面体の連結方法は、螺着や嵌着、接着など、いずれの方法によっても良い。
部品としての独立した球体または多面体同士を連結する個数を増やすことで、構造体を増設することができる。
本請求項にかかる構造体は、球体または多面体同士を、必ずしも一直線上に連ねなくても良い。
例えば、Ｌ字、Ｔ字、十字の形状に構成されていても良いし、自由な角度・位置で連ねて構成することができる。
これは、本請求項かかる構造体が一体的に形成される場合も同様である。
【００２４】
また、本請求項にかかる発明は、２以上の球体または多面体が連なって構成される構造体であって、少なくとも１つの球体または多面体に開口部が設けられている。
開口部は、球体または多面体の側方、上方など、いずれの場所に設けても良い。
例えば、球体の場合、側方の円弧部分を切断したような開口部を設けることが考えられる。
また、開口部の大きさは、いずれの大きさであっても良い。
例えば、本請求項にかかる構造体を容器として活用する場合、構造体内に物を収容し、収容した物を取り出したり放出したりするから、収容する物を出し入れできる程度の大きさにする必要がある。
開口部は、構造体を構成する球体または多面体の全てに設けても良い。
その場合、それぞれの開口部は、全て同じ方向、同じ大きさであっても良いし、それぞれ異なる方向、異なる大きさであっても良い。
さらに、本請求項にかかる構造体は、前記の開口部の他に、収容物を構造体内に収容するための収容口を別途設けても良い。
【００２５】
また、本発明にかかる構造体の開口部に、開口部を塞ぐ蓋体を設けても良い。
蓋体は、端部を蝶番などで構造体に固定して、開閉可能にしても良いし、開口部が設けられている構造体の外周を蓋体が回動するように二重構造とし、当該蓋体が開口部の外周部分を回動することで開口部を塞ぐようにしても良い。
これにより、開口部内に収められている物が構造体から放出されるのを防ぐことができる。
【００２６】
また、前記開口部の内壁に、目盛を設けても良い。
目盛は、開口部内に堆積する収容物の量を計測することができる。
例えば、構造体の中空内に収容された収容物を、放出孔から開口部へ放出させ、その収容物の堆積量を計測する場合に使用できる。
目盛は、構造体の用途に応じて、種々の目盛を設けることができる。
【００２７】
本請求項以下に記載する本願発明に係る全ての構造体は、種々の用途の構造体として採用し得る。
例えば、構造体自体がインテリア、ディスプレイ、オブジェ、置物、アクセサリー、キーホルダー、箸置き、浮き輪、玩具、遊戯具、枕・抱き枕などの寝具、指圧マッサージ具などの健康器具などが挙げられ、構造体の大きさ、形状、素材、用途は問わない。
また、開口部に物を置くスペースとして活用すれば、パソコンのモニター、テレビ受像機、電話機の支持体としても利用でき、また開口部をディスプレイにしてテレビや広告体としての利用も可能となる。
【００２８】
さらに、本請求項に記載の構造体は、請求項１から請求項４のいずれかに記載の多目的容器としても利用できる。
すなわち、２以上の球体または多面体が連なる構造体であって、少なくとも１の開口部を有することを特徴とする請求項１から請求項４のいずれかに記載の多目的容器である。
構造体を多目的容器として利用した場合の用途及び構造、機能、収容物については、上述の多目的容器の記載と同様である。
【００２９】
なお、本請求項以下に記載の構造体を含め、構造体を多目的容器として利用した場合、構造体の開口部は、前記留置部としての機能を果たし、開口部内に収容物を留置できる。
例えば、球体や多面体の部分に開口部が設けられている場合、開口部は、球体または多面体の側方、上方など、いずれの場所に設けられていても良い。
構造体は、その全部または一部に収容物を収容する収容部を有する。
開口部を有する球体または多面体と、収容部を有する構造体とは、放出孔によって連通されている。
放出孔は、構造体の一部を回転させることで、放出孔の開度を調節できるようにしても良い。
例えば、本発明にかかる構造体が複数の構造体の連結によって構成されている場合、開口部分を有する構造体部分と、収容部を有する構造体部分とからなり、各構造体を連通させるように放出孔を備え、１の構造体を回転させることで放出孔の位置が一致して、収容物を放出させる構造にしても良いし、両構造体の間に、スリットが形成された調節部材を設け、調節部材を回転、スライドさせることで、放出孔が開口、閉口されるような構造にしても良い。
この調節部材は、本発明にかかる構造体が一体的に形成されている場合でも、放出孔が設けられている箇所にだけ備えれば良いので、容易に採用し得る。
調節部材は、板状でも円盤状でも良いし、円盤状の場合、空隙部分と閉塞部分とが扇状に交互に配されたスリット様のものが考えられる。
また、空隙部分は、一定の大きさによるものだけでなく、異なる大きさの空隙が複数あり、これらの大きさの異なる空隙によって放出孔の開度を調節できるようにしても良い。
また、収容物は、放出孔から放出させるのではなく、構造体の一部に収容物の出し入れができる収容口を設けたり、開閉可能な状態にした当該開閉部分を収容物を出し入れする収容口としても良い。
例えば、構造体の胴部分に開閉可能の蓋体を取り付けた収容口を設け、構造体内部に収容物を出し入れすることが考えられる。
開閉可能な収容口は、蓋体によっても良いし、上述の放出孔の開度を調節する手段と同様の方法によって開閉がなされるようにしても良い。
また、収容口を特に設けずに、構造体自体を分割可能な構造にし、分割状態で収容部内に収容物を収容するようにしても良い。
【００３０】
本発明の請求項６は、
１以上の球体または多面体が、柱状体と連なって構成される構造体であって、
少なくとも１の開口部を有する
ことを特徴とする構造体である。
【００３１】
本請求項にかかる発明は、請求項５にかかる発明のように２以上の球体または多面体によって構成される構造体ではなく、１以上の球体または多面体が柱状体と連なって構成される構造体である。
球体または多面体は、請求項５に記載した球体または多面体と同様である。
１以上の球体または多面体は、柱状体と着脱が不可能な一体的に形成された構造体であっても良いし、柱状体と着脱が可能な独立した部品として、柱状体と連なって構成されていても良い。
着脱が可能な独立した部品として構成される場合、各球体または各多面体の柱状体との連結方法は、螺着や嵌着、接着など、いずれの方法によっても良い。
部品としての独立した球体または多面体を、柱状体と連結する個数を増やすことで、構造体を増設することができる。
球体または多面体を柱状体に連結する箇所は、いずれの箇所でも良いが、例えば、柱状体の両端側が考えられるが、柱状体胴部の周りに連結しても良い。
連結方法は、螺着や嵌着、接着など、いずれの方法によっても良い。
【００３２】
開口部は、１以上の球体または多面体及び柱状体によって構成される本請求項にかかる構造体に、少なくとも１つ設ける。
開口部は、１以上の球体または多面体及び柱状体のうち、いずれの場所に設けても良い。
例えば、球体の場合、側方の円弧部分を切断したような開口部を設けることが考えられ、柱状体胴部の１箇所をくり抜いて開口部を設けても良い。
また、開口部の大きさは、いずれの大きさであっても良い。
例えば、本請求項にかかる構造体を容器として活用する場合、構造体内に物を収容し、収容した物を取り出したり放出したりするから、収容する物を出し入れできる程度の大きさにする必要がある。
開口部は、構造体を構成する球体、多面体、柱状体の全てに設けても良い。
その場合、それぞれの開口部は、全て同じ方向、同じ大きさであっても良いし、それぞれ異なる方向、異なる大きさであっても良い。
さらに、本請求項にかかる構造体は、前記の開口部の他に、収容物を構造体内に収容するための収容口を別途設けても良い。
【００３３】
また、本発明にかかる構造体の開口部に、開口部を塞ぐ蓋体を設けても良い。
蓋体は、端部を蝶番などで構造体に固定して、開閉可能にしても良いし、開口部が設けられている構造体の外周を蓋体が回動するように二重構造とし、当該蓋体が開口部の外周部分を回動することで開口部を塞ぐようにしても良い。
これにより、開口部内に収められている物が構造体から放出されるのを防ぐことができる。
【００３４】
また、前記開口部の内壁に、目盛を設けても良い。
目盛は、開口部内に堆積する収容物の量を計測することができる。
例えば、構造体の中空内に収容された収容物を、放出孔から開口部へ放出させ、その収容物の堆積量を計測する場合に使用できる。
目盛は、構造体の用途に応じて、種々の目盛を設けることができる。
【００３５】
また、本請求項に記載の構造体は、請求項１から請求項４のいずれかに記載の多目的容器としても利用できる。
すなわち、１以上の球体または多面体が、柱状体と連なって構成される構造体であって、少なくとも１の開口部を有することを特徴とする請求項１から請求項４のいずれかに記載の多目的容器である。
構造体を多目的容器として利用した場合の用途及び構造、機能、収容物については、上述の多目的容器の記載と同様である。
【００３６】
本発明の請求項７は、
柱状の構造体の全周に亘って１以上のくびれ部分を有する構造体であって、
少なくとも１の開口部を有する
ことを特徴とする構造体である。
【００３７】
本請求項にかかる発明は、請求項５にかかる発明のように２以上の球体または多面体によって構成される構造体ではなく、また請求項６にかかる発明のように１以上の球体または多面体が柱状体と連なって構成される構造体でもなく、構造体本体に、その全周に亘って１以上のくびれ部分を有することを特徴とする構造体である。
くびれ部分とは、構造体本体の全周に亘って凹状に形成された部分を表し、この凹状に形成されたくびれ部分が１以上あることを本請求項にかかる構造体の特徴とする。
本請求項にかかる発明は、請求項５にかかる発明のように２以上の球体または多面体からなる構造体が、一体的に形成されたものである場合、明確に２以上の球体または多面体を認識できない形状も採用し得ることから、そのような形状を本請求項にかかる構造体に包含する意味で、構造体本体の全周に亘って１以上のくびれ部分を有する構造体として特定するものである。
【００３８】
本請求項にかかる構造体は、１以上のくびれ部分を有する柱状の構造体が一体的に形成されていても良いし、くびれ部分で分割でき、複数の独立した部品が連結して構成される構造体として良い。
独立した部品の連結方法は、螺着や嵌着、接着など、いずれの方法によっても良い。
例えば、独立した部品は、連結する個数を増やすことで、長い柱状の構造体を構成できる。
【００３９】
開口部は、全周に亘って１以上のくびれ部分を有する柱状の構造体に、少なくとも１つ設ける。
開口部は、いずれの場所に設けても良い。
また、開口部の大きさは、いずれの大きさであっても良い。
例えば、本請求項にかかる構造体を容器として活用する場合、構造体内に物を収容し、収容した物を取り出したり放出したりするから、収容する物を出し入れできる程度の大きさにする必要がある。
複数の開口部を設けた場合、全て同じ方向、同じ大きさであっても良いし、それぞれ異なる方向、異なる大きさであっても良い。
さらに、本請求項にかかる構造体は、前記の開口部の他に、収容物を構造体内に収容するための収容口を別途設けても良い。
【００４０】
また、本発明にかかる構造体の開口部に、開口部を塞ぐ蓋体を設けても良い。
蓋体は、端部を蝶番などで構造体に固定して、開閉可能にしても良いし、開口部が設けられている構造体の外周を蓋体が回動するように二重構造とし、当該蓋体が開口部の外周部分を回動することで開口部を塞ぐようにしても良い。
これにより、開口部内に収められている物が構造体から放出されるのを防ぐことができる。
【００４１】
また、前記開口部の内壁に、目盛を設けても良い。
目盛は、開口部内に堆積する収容物の量を計測することができる。
例えば、構造体の中空内に収容された収容物を、放出孔から開口部へ放出させ、その収容物の堆積量を計測する場合に使用できる。
目盛は、構造体の用途に応じて、種々の目盛を設けることができる。
【００４２】
また、本請求項に記載の構造体は、請求項１から請求項４のいずれかに記載の多目的容器としても利用できる。
すなわち、柱状の構造体の全周に亘って１以上のくびれ部分を有する構造体であって、少なくとも１の開口部を有することを特徴とする請求項１から請求項４のいずれかに記載の多目的容器である。
構造体を多目的容器として利用した場合の用途及び構造、機能、収容物については、上述の多目的容器の記載と同様である。
【００４３】
本発明の請求項８は、
波型または螺旋型の棒状体からなる構造体であって、
少なくとも１の開口部を有する
ことを特徴とする構造体である。
【００４４】
本請求項にかかる発明は、請求項５にかかる発明のように２以上の球体または多面体によって構成される構造体ではなく、また、請求項６にかかる発明のように１以上の球体または多面体が柱状体と連なって構成される構造体でもなく、さらに、請求項７にかかる発明のように全周に亘って１以上のくびれ部分を有する柱状の構造体でもない、波型または螺旋型の棒状体であることを特徴とする構造体である。
本請求項にかかる構造体は、請求項７にかかる構造体のように、くびれ部分を有するのではなく、いずれの断面部分においても、その面積が略同じである棒状体を表す。
この場合、棒状体は全て一体的に形成されたものであっても、複数の部品に分割できるようにしても良い。
複数の独立した部品が連結して構成される構造体として良い。
独立した部品の連結方法は、螺着や嵌着、接着など、いずれの方法によっても良い。
例えば、独立した部品は、連結する個数を増やすことで、長い棒状の構造体を構成できる。
【００４５】
開口部は、波型または螺旋型の棒状体の任意の箇所に少なくとも１以上設けられる。
開口部は、いずれの場所に設けても良い。
また、開口部の大きさは、いずれの大きさであっても良い。
例えば、本請求項にかかる構造体を容器として活用する場合、構造体内に物を収容し、収容した物を取り出したり放出したりするから、収容する物を出し入れできる程度の大きさにする必要がある。
複数の開口部を設けた場合、全て同じ方向、同じ大きさであっても良いし、それぞれ異なる方向、異なる大きさであっても良い。
さらに、本請求項にかかる構造体は、前記の開口部の他に、収容物を構造体内に収容するための収容口を別途設けても良い。
【００４６】
また、本発明にかかる構造体の開口部に、開口部を塞ぐ蓋体を設けても良い。
蓋体は、端部を蝶番などで構造体に固定して、開閉可能にしても良いし、開口部が設けられている構造体の外周を蓋体が回動するように二重構造とし、当該蓋体が開口部の外周部分を回動することで開口部を塞ぐようにしても良い。
これにより、開口部内に収められている物が構造体から放出されるのを防ぐことができる。
【００４７】
また、前記開口部の内壁に、目盛を設けても良い。
目盛は、開口部内に堆積する収容物の量を計測することができる。
例えば、構造体の中空内に収容された収容物を、放出孔から開口部へ放出させ、その収容物の堆積量を計測する場合に使用できる。
目盛は、構造体の用途に応じて、種々の目盛を設けることができる。
【００４８】
また、本請求項に記載の構造体は、請求項１から請求項４のいずれかに記載の多目的容器としても利用できる。
すなわち、波型または螺旋型の棒状体からなる構造体であって、少なくとも１の開口部を有することを特徴とする請求項１から請求項４のいずれかに記載の多目的容器である。
構造体を多目的容器として利用した場合の用途及び構造、機能、収容物については、上述の多目的容器の記載と同様である。
【００４９】
本発明の請求項９は、
前記構造体または前記多目的容器に、
耳様、手足様、尻尾様のいずれか１以上の突起物が取り付けられた
ことを特徴とする請求項１から請求項８のいずれかに記載の構造体または多目的容器である。
【００５０】
本請求項にかかる発明は、構造体または多目的容器に、耳様、手足様、尻尾様のいずれか１以上の突起物が取り付けたものである。
本発明にかかる構造体または多目的容器は、上述の通り、種々の用途に活用できるが、意匠的にも優れた形態、デザインを採用することで、より消費者に好まれ、消費者を誘引する重要な特徴となり得る。
そこで、本請求項にかかる発明は、意匠性を高めるため、構造体または多目的容器に、耳様、手足様、尻尾様のうち、いずれか１以上の突起物を取り付けたものである。
耳様の突起物とは、例えば、猫や兎、鼠などの動物の耳を模した形状の突起物である。
この耳様の突起物は、単に外観上のデザイン性を向上させるためだけに取り付けても良いし、何かしらの外的作用によって機能的効果を発揮するものであっても良い。
手足様の突起物とは、手や足を模した形状の突起物である。
この手足様の突起物は、耳様の突起物と同様に、単に外観上のデザイン性を向上させるためだけに取り付けても良いし、何かしらの外的作用によって機能的効果を発揮するものであっても良い。
尻尾様の突起物とは、犬、猫、猿などの動物の尻尾を模した形状の突起物である。
この尻尾様の突起物は、耳様の突起物と同様に、単に外観上のデザイン性を向上させるためだけに取り付けても良いし、何かしらの外的作用によって機能的効果を発揮するものであっても良い。
これらの耳様、手足様、尻尾様の各突起物の機能的効果とは、例えば、各突起物を傾斜・回転・スライド・引っ張ることによって、放出孔が開閉する等が挙げられる。
これら、耳様、手足様、尻尾様の突起物は、いずれか１以上が、構造体または多目的容器に取り付けられている。
つまり、１つのみでも良いし、３つ全てが取り付けられていても良い。
【００５１】
また、これら耳様、手足様、尻尾様の突起物とともに、または突起物にかかわりなく、構造体または多目的容器の一部または全部を、動物やキャラクターを模した外観形状にしても良い。
例えば、構造体または多目的容器の一部を犬や猫の顔を模した外観形状にし、耳と尻尾の突起物を取り付けることが挙げられる。
また、構造体または多目的容器の一部または全部を、動物やキャラクターを模した外観形状にするだけでなく、衣装や小道具を取り付けたり、この衣装や小道具を着脱可能にして、着せ替え人形的に取替えができるようにしても良いし、この衣装や小道具は、取替可能な部品としてではなく、構造体または多目的容器の外観形状の一部として構成されたものであっても良い。
例えば、琉球衣装をまとった人間を模した外観形状をなした構造体または多目的容器に花笠を被せたり、着物を着た人間を模した外観形状をなした構造体または多目的容器に笠や刀を取り付けても良い。
さらに、顔だけが描かれた髪の毛の無い人間の頭を模した構造体または多目的容器に、胴体や手足を取り付けたり、衣装を着せ替え可能に着脱できるようにしても良い。
【００５２】
本願発明にかかる構造体または多目的容器が２つ以上あるときは、これらを連結できるようにしても良い。
例えば、構造体または多目的容器を、垂直方向または水平方向に複数連結したり、可撓性部材を介して連結しても良い。
この場合、構造体または多目的容器の収容部が連結されることで、収容容積を増やすこともできる。
または、隔たれた各収容部が１つの構造体または多目的容器として構成されるように、敢えて収容部を連結させずに、単に構造体または多目的容器同士が連結されるのみであっても良い。
さらには、上述の突起物によって連結させても良い。
例えば、２つの構造体または多目的容器に取り付けた手様の突起物によって連結する。
この場合、連結というよりは、複数の構造体または多目的容器が接続した状態に近いが、構造体または多目的容器の収容部を連結する目的でなければ、単に接続する方法によって、ディスプレイする置物や人形として利用することも考えられる。
この接続の方法は、手様の突起物のそれぞれを凹凸形状にし、凹凸を嵌合させることによって接続させたり、手様の突起物同士が腕組みをするように接続させても良いし、突起物内部に設けた磁石の磁力によって接続させても良い。
さらには、大きさの異なる人型の外観形状をなした構造体または多目的容器同士が、おんぶしている姿勢で単に接続、または収容部同士が連結されるようにしても良い。
【００５３】
構造体または多目的容器の一部にリング状の部材を取り付け、または構造体または多目的容器の一部に貫通孔を設け、チェーンや紐を通して、鞄やポーチ、携帯電話、キーホルダー等にぶら下げて、ストラップやアクセサリーとして使用しても良いし、首に直接掛けて下げ飾りとして使用しても良い。
また、この構造体を、例えば、オーディオプレーヤー、ボイスレコーダー、ＵＳＢメモリ等の外部記憶媒体、デジタルカメラ、携帯電話、レーザーポインターなどの電子機器類、または、ボールペン・シャープペンシルなどの筆記具、笛などの楽器として利用しても良い。
さらに、この多目的容器を、例えば、錠剤・カプセル等の医薬品類、栄養補助食品類、菓子類、化粧品類を収容して携帯容器として利用したり、飲料を入れて飲料用ペットボトルとして利用しても良い。
【００５４】
本発明の請求項１０は、
前記構造体における開口部の開口面に、
液晶ディスプレイが設けられた
ことを特徴とする請求項５から請求項９のいずれかに記載の構造体である。
【００５５】
本請求項にかかる発明は、前記構造体における開口部の利用方法の１つとして考えられたもので、特に開口面に液晶ディスプレイを設けたものである。
本発明にかかる構造体を収容物を収容する多目的容器として活用する場合、開口部分は収容物を出し入れしたり、開口部自体に収容物、留置物を収容したり、載置・留置する利用が考えられるが、本発明にかかる構造体をテレビの支持体、または構造体自体をテレビとして活用することも可能である。
例えば、開口部にテレビを収めてテレビの支持体として活用するだけでなく、開口部分をテレビの液晶ディスプレイとして構造体自体をテレビとして活用することも考えられる。
本請求項にかかる発明は、このような開口部の利用方法の１つとして考えられたものである。
この他の開口部の利用方法としては、開口部に電話機を設置して、または開口部自体を電話機の操作ボタン部分として、構造体自体を電話ボックスのように利用することも考えられる。
【発明の効果】
【００５６】
本発明では以下のような効果がある。
【００５７】
１）種類、素材、形状、用途は問わず、種々の収容物を収容し、多目的用途に利用可能な構造体または多目的容器を提供できる。
【００５８】
２）収容した収容物が容易に容器外に排出されるので、使い勝手がよく、経済的・衛生的である。
【００５９】
３）意匠性に優れた外観的構造を有する構造体を提供できる。
【００６０】
４）収容物が容易に排出される構造的特徴を有し、且つ美観に優れた外観を有する構造体または多目的容器を提供できる。
【発明を実施するための最良の形態】
【００６１】
以下、本発明の実施形態について図面を用いて説明する。
【００６２】
図１乃至３は、本実施例にかかる多目的容器の外観正面図、外観斜視図、正面中央縦断面図である。
多目的容器は、開口部が設けられている１つの球体と、これと同じ大きさの２つの球体が全て連なって構成されている。
容器内部は、空洞になっており、収容物を収容する収容部である。
容器底部に、収容口が設けられ、この収容口を通じて容器内部に収容物を収容する。
収容口は、蓋体で塞ぐ等して閉じることができる。
収容口は、容器底部に限らず、容器の側面部分に設けられていても良い。
また、収容口を特に設けなくとも、３つの連なった球体が各個に分割される構造にし、各個を分割してから収容物を収容するようにしても良い。
開口部が設けられている１の球体は、放出孔から放出される収容物を留置できるよう凹状の留置部がある。
この留置部に収容物が一旦放出されて留置できることで、放出された収容物を確認してから、容器外へ収容物を取り出すことができる。
開口部が設けられている１の球体と連なる別の球体との間には、留置部と収容部とを連通する放出孔が設けられている。
放出孔は、収容物を収容部から放出するための孔で、収容物を放出する姿勢時の容器中心軸から鉛直下方寄りの位置に設けられている。
これは、収容物が収容部から留置部へ放出される際に乗り越えなければならない内壁を低くすることであり、これにより、収容物を放出する状態の、容器が水平方向に倒れた姿勢における収容部の底部分に、収容物が堆積、貯留することなく、スムーズに留置部へと放出される。
【００６３】
図４及び５は、別の実施例における多目的容器の正面中央縦断面図である。
すなわち、図４は、放出孔付近の収容部の内壁が、放出孔に向かって略平坦である構造と、完全に平坦である構造をなした実施例である。
また、図５は、放出孔付近の収容部の内壁が、放出孔に向かって径が小さくなる漏斗様形状をなした実施例である。
いずれも、収容物を放出する状態の、容器が水平方向に倒れた姿勢における収容部の底部分に、収容物が堆積、貯留することなく、スムーズに留置部へと放出されるための構造である。
【００６４】
図６は、留置部を有する構造体部分が平板状、椀型をなした一実施例を示す外観斜視図である。
【００６５】
また、開口部が設けられている球体と、連結する球体とは、一体的に構成されているのではなく、連結構造をなしていても良い。
例えば、図７は、連結構造の一実施例を示す断面図である。
連結する２つの球体のそれぞれに設けられた放出孔が、中心線から外側にずれた位置に設けられている。
いずれかの球体を回転させることで放出孔が一致し、収容物を放出することができる。
放出孔が一致するする様子を、図８に示す。
図８中の実線が上段の球体で、点線が下段の球体を表している。
【００６６】
また、本発明にかかる多目的容器は、同じ大きさの球体に限らず、種々の形状によって構成される。
図９乃至１３は、種々の形状によって構成された多目的容器の正面図である。
図１４は、本発明にかかる多目的容器の一使用例を示す図である。
さらに、本発明にかかる多目的容器は、種々の外観的形状、構造を採用し得る。
図１５乃至２８に、その実施例を示す。
【００６７】
また、本発明にかかる多目的容器は、開口部を頭頂部に設けることもでき、図２９にその一実施例を示す。
【００６８】
また、本発明にかかる多目的容器または構造体は、種々の紐やチェーン、ストラップ等によって、鞄、携帯電話、キーホルダー等に下げて、または首に直接掛けて、下げ飾りとしても利用でき、図３０にその一実施例を示す。
単に下げ飾りとして利用しても良いし、胴体内部に、錠剤・カプセル等の医薬品類、文房具類、栄養補助食品類、菓子類、粉末調味料等の食品類を収容しても良い。
【００６９】
また、本発明にかかる多目的容器または構造体に、手足などの突起物を設けて、突起物同士で連結させても良い。
ディスプレイや置物としても活用できる。
【図面の簡単な説明】
【００７０】
【図１】本発明による多目的容器の外観正面図である。
【図２】本発明による多目的容器の外観斜視図である。
【図３】本発明による多目的容器の正面中央縦断面図である。
【図４】本発明による多目的容器の正面中央縦断面図である。
【図５】本発明による多目的容器の正面中央縦断面図である。
【図６】本発明による多目的容器の一実施例を示す外観斜視図である。
【図７】連結構造の一実施例を示す断面図である。
【図８】連結構造の一実施例を示す図である。
【図９】本発明による種々の形状によって構成された多目的容器の正面図である。
【図１０】本発明による種々の形状によって構成された多目的容器の正面図である。
【図１１】本発明による種々の形状によって構成された多目的容器の正面図である。
【図１２】本発明による種々の形状によって構成された多目的容器の正面図である。
【図１３】本発明による種々の形状によって構成された多目的容器の正面図である。
【図１４】本発明による多目的容器の一使用例を示す図である。
【図１５】種々の外観的形状、構造をなした外観図である。
【図１６】種々の外観的形状、構造をなした外観図である。
【図１７】種々の外観的形状、構造をなした外観図である。
【図１８】種々の外観的形状、構造をなした外観図である。
【図１９】種々の外観的形状、構造をなした外観図である。
【図２０】種々の外観的形状、構造をなした外観図である。
【図２１】種々の外観的形状、構造をなした外観図である。
【図２２】種々の外観的形状、構造をなした外観図である。
【図２３】種々の外観的形状、構造をなした外観図である。
【図２４】種々の外観的形状、構造をなした外観図である。
【図２５】種々の外観的形状、構造をなした外観図である。
【図２６】種々の外観的形状、構造をなした外観図である。
【図２７】種々の外観的形状、構造をなした外観図である。
【図２８】種々の外観的形状、構造をなした外観図である。
【図２９】開口部を頭頂部に設けた一実施例を示す図である。
【図３０】下げ飾りとしての一実施例を示す図である。
【図３１】突起物を設けた多目的容器または構造体の一実施例を示す外観図である。
【図１】
2010047298.tif 000003
【図２】
2010047298.tif 000004
【図３】
2010047298.tif 000005
【図４】
2010047298.tif 000006
【図５】
2010047298.tif 000007
【図６】
2010047298.tif 000008
【図７】
2010047298.tif 000009
【図８】
2010047298.tif 000010
【図９】
2010047298.tif 000011
【図１０】
2010047298.tif 000012
【図１１】
2010047298.tif 000013
【図１２】
2010047298.tif 000014
【図１３】
2010047298.tif 000015
【図１４】
2010047298.tif 000016
【図１５】
2010047298.tif 000017
【図１６】
2010047298.tif 000018
【図１７】
2010047298.tif 000019
【図１８】
2010047298.tif 000020
【図１９】
2010047298.tif 000021
【図２０】
2010047298.tif 000022
【図２１】
2010047298.tif 000023
【図２２】
2010047298.tif 000024
【図２３】
2010047298.tif 000025
【図２４】
2010047298.tif 000026
【図２５】
2010047298.tif 000027
【図２６】
2010047298.tif 000028
【図２７】
2010047298.tif 000029
【図２８】
2010047298.tif 000030
【図２９】
2010047298.tif 000031
【図３０】
2010047298.tif 000032
【図３１】
2010047298.tif 000033